(57)【要約】      （修正有）【課題】ブラインド式雨戸の上枠の取付作業性を向上させる。【解決手段】建物１に形成された窓用の開口部２の外壁６に固定された雨戸用案内枠２０が、上辺部を構成する上枠２１と、側辺部を構成する左右の縦枠２３と、下辺部を構成する下枠２２とを有している。この上枠２１は、ブラインド式雨戸１９を吊支する枠本体３０と、この枠本体３０を外壁６に固定する固定部３１とを備えている。この両者３０，３１が別体により構成されているとともに、枠本体３０には、庇体３７が一体形成されている。【選択図】図１
2005105515.tif 000002
【特許請求の範囲】
【請求項１】
建物に形成された窓用の開口部周囲の外壁に固定された雨戸用案内枠に、前記開口部を開閉する伸縮自在なブラインド式雨戸に取り付けるブラインド式雨戸の取付構造であって、
前記雨戸用案内枠の前記開口部の上部に対応する部分は、前記ブラインド式雨戸を吊支する枠本体と、この枠本体を前記開口部の上側の外壁に固定する固定部とを備え、前記枠本体と前記固定部とが組付結合の可能な別体からなり、
前記固定部を外壁に固定するとともに、前記枠本体を前記固定部に組付結合させて、前記ブラインド式雨戸を前記枠本体に吊支しつつ前記雨戸用案内枠に取り付けたことを特徴とするブラインド式雨戸の取付構造。
【請求項２】
前記固定部は、板状に形成されているとともに、外壁と反対方向の表面に、断面Ｌ字状の一対の保持部が長手方向に沿って上下に対向して形成されている一方、
前記枠本体の固定部側の端部には、前記保持部に係合する上下一対の係合部が外側に張出形成され、
前記両係合部を前記両保持部に係合して、前記固定部に前記枠本体を組付結合させたことを特徴とする請求項１記載のブラインド式雨戸の取付構造。
【請求項３】
前記開口部は、四辺形状に形成されている一方、
前記雨戸案内枠は、前記開口部に対応して四辺形状に形成され、上辺部を構成する上枠と、側辺部を構成する左右一対の縦枠と、下辺部を構成する下枠とを有し、
前記ブラインド式雨戸は、短冊状に形成された複数の前記スラットと、前記各スラットの上端部及び下端部を連結する伸縮自在のレージトングとを備え、
前記上枠の枠本体に、前記スラットの幅寸法よりも大きな幅寸法の庇体を一体形成するとともに、
前記上枠の枠本体と前記下枠に、上下の前記レージトングを移動自在に取り付けたことを特徴とする請求項１〜２記載のブラインド式雨戸の取付構造。
【請求項４】
前記雨戸用案内枠内には、左右一対の前記ブラインド式雨戸が伸縮自在に取り付けられている一方、前記両ブラインド式雨戸は、対向する端部に框部を有し、
この両框部の対抗面に段差をオフセットに形成するとともに、この両段差が噛み合い可能なことを特徴とする請求項１〜３記載のブラインド式雨戸の取付構造。
【請求項５】
前記各縦枠および前記下枠は、前記開口部の外側に張り出して外壁に取り付けられる張出部が一体形成され、
前記固定部および前記張出部の外壁に対する取付面に、弾性体を設けたことを特徴とする請求項３〜４記載のブラインド式雨戸の取付構造。
【請求項６】
前記各縦板の張出部は、中央部に貫通孔が形成されているとともに、この貫通孔に所定の固定具を挿通して外壁に固定され、
前記各縦板の張出部の外壁と反対方向の面に接着剤を塗布したことを特徴とする請求項５記載のブラインド式雨戸。
【請求項７】
前記スラットは、両側端部に相反する方向へ折曲された係止縁を有し、少なくとも一方の係止縁にシール部材を設け、
このシール部材が隣接する前記スラットの他方の係止縁に密着することを特徴とする請求項３〜６記載のブラインド式雨戸の取付構造。
【請求項８】
前記各レージトングは、二枚のプレート状のリンクを中央部で軸着してＸ字状に回動自在に組み合せてなり、
少なくとも一方の前記リンクを、横断面円弧状に折曲形成したことを特徴とする請求項３〜７記載のブラインド式雨戸の取付構造。
【請求項９】
少なくとも前記リンクのいずれかに、前記スラットを前記上枠の枠本体のガイドレールに転動自在に吊支するガイドローラーを設け、
このガイドローラーは、前記ガイドレールに両端部が支持された回転軸と、この回転軸の両端部に回転自在に設けられたローラー部とを有し、
このローラー部の内周面に、前記回転軸の外周面に摺接するベアリングを設けたことを特徴とする請求項８記載のブラインド式雨戸の取付構造。
【発明の詳細な説明】
【技術分野】
【０００１】
本発明は、戸袋を必要としない伸縮自在なブラインド式雨戸の取付構造に関する。
【背景技術】
【０００２】
図１３に示すように、建物１に形成された窓用の開口部２には、サッシ３が嵌め込まれているとともに、窓戸４がスライド開閉自在に取り付けられている。この窓戸４を閉じるためのブラインド式雨戸５が、建物１の外壁６に固定した雨戸用案内枠７に嵌め込まれている。
【０００３】
この雨戸用案内枠７は、四辺形状に形成され、上辺部を構成する上枠８と、下辺部を構成する下枠９と、側辺部を構成する左右一対の縦枠１０とを有し、この各枠８．９．１０の外周縁には、外壁６に固定される張出部が一体形成されているとともに、前記上枠８には、庇体１１が一体形成されている。
【０００４】
この庇体１１は、スラット１３の幅Ｗよりも大きくて、建物１の外壁６からスラット１３の最外側の先端までの張出寸法よりも大きく設定され、スラット１３などが雨、雪、塵埃に晒されことを防止している。また、前記庇体１１及び前記下枠９には、ブラインド式雨戸５を吊支するガイドレール１２が対向して形成されている。
【０００５】
前記ブラインド式雨戸５は、前記両ガイドレール１２間に左右一対に配置されているとともに、所定長さ及び幅を有する短冊状の板体からなる前記複数のスラット１３と、この各スラット１３の上端部及び下端部に取り付けられた伸縮自在のレージトングと、上側の前記レージトングを前記ガイドレール１２に転動自在に吊支するガイドローラー１５と、下側の前記レージトングを前記ガイドレール１２に移動可能に係合させるガイドピン１６とを備えている。
【０００６】
そして、左右のレージトングを両ガイドレール１２に沿って伸張させると、各スラット１３が一直線状になって開口部２を閉じる一方、左右のレージトングを両ガイドレール１２に沿って伸縮させると、各スラット１３が互いに平行に重なって開口部２を開き、これにより戸袋を必要としない雨戸を提供している。
【特許文献１】特開２０００−００２０６０
【発明の開示】
【発明が解決しようとする課題】
【０００７】
しかしながら、従来は、上枠８と張出部８ａとが一体形成されていることから、張出部８ａを外壁６に固定具１７により取り付け難く、取付作業の作業効率に問題があった。
【０００８】
特に、上枠８には、外側に大きく張り出した庇体１１が一体形成されているため、張出部８ａを釘などにより外壁に固定するときに、庇体１１が邪魔であり、作業性が悪化するおそれがある。
【０００９】
また、庇体１１は、外側に大きく張り出しているため、重量が大きく、一人で上枠８を開口部２の上方に持ち上げ難く、この点でも雨戸用案内枠７の取付作業の作業効率が悪化するおそれがあった。
【課題を解決するための手段】
【００１０】
本発明は、前記従来の問題を解決すべく発明されたもので、請求項１記載の発明は、建物に形成された窓用の開口部周囲の外壁に固定された雨戸用案内枠に、前記開口部を開閉する伸縮自在なブラインド式雨戸に取り付けるブラインド式雨戸の取付構造であって、前記雨戸用案内枠の前記開口部の上部に対応する部分は、前記ブラインド式雨戸を吊支する枠本体と、この枠本体を前記開口部の上側の外壁に固定する固定部とを備え、前記枠本体と前記固定部とが組付結合の可能な別体からなり、前記固定部を外壁に固定するとともに、前記枠本体を前記固定部に組付結合させて、前記ブラインド式雨戸を前記枠本体に吊支しつつ前記雨戸用案内枠に取り付けたことを特徴としている。
【００１１】
したがって、枠本体は、固定部の取付後に固定部に組み付けられ、これにより雨戸用枠体の開口部の上部に対応する部分は、二段階の作業により外壁に取り付けられる。
【００１２】
請求項２記載の発明は、前記固定部は、板状に形成されているとともに、外壁と反対方向の表面に、断面Ｌ字状の一対の保持部が長手方向に沿って上下に対向して形成されている一方、前記枠本体の固定部側の端部には、前記保持部に係合する上下一対の係合部が外側に張出形成され、前記両係合部を前記両保持部に係合して、前記固定部に前記枠本体を組付結合させたことを特徴としている。
【００１３】
したがって、両係合部を両保持部に係合するだけで、固定部に枠本体を簡易に取り付けることができる。
【００１４】
請求項３記載の発明は、前記開口部は、四辺形状に形成されている一方、前記雨戸案内枠は、前記開口部に対応して四辺形状に形成され、上辺部を構成する上枠と、側辺部を構成する左右一対の縦枠と、下辺部を構成する下枠とを有し、前記ブラインド式雨戸は、短冊状に形成された複数の前記スラットと、前記各スラットの上端部及び下端部を連結する伸縮自在のレージトングとを備え、前記上枠の枠本体に、前記スラットの幅寸法よりも大きな幅寸法の庇体を一体形成するとともに、前記上枠の枠本体と前記下枠に、上下の前記レージトングを移動自在に取り付けたことを特徴としている。
【００１５】
したがって、庇体の張出寸法が大きくても、庇体が上枠の取付作業を邪魔することがなく、固定部および枠本体を容易に取り付けることができる。また、上枠の枠本体と固定部が別体であるため、庇体が大きく張り出していても、一人で容易に建物の開口部の上側まで持ち上げることができる。
【００１６】
請求項４記載の発明は、前記雨戸用案内枠内には、左右一対の前記ブラインド式雨戸が伸縮自在に取り付けられている一方、前記両ブラインド式雨戸は、対向する端部に框部を有し、この両框部の対抗面に段差をオフセットに形成するとともに、この両段差が噛み合い可能なことを特徴としている。
【００１７】
したがって、両ブラインド式雨戸を伸長させて、両框部を接触させると、段差同士が噛み合うため、ロック手段（例えば、鍵・錠など）を用いて、両框部を固定した場合に外部からの抉じ開けが防止される。
【００１８】
請求項５記載の発明は、前記各縦枠および前記下枠は、前記開口部の外側に張り出して外壁に取り付けられる張出部が一体形成され、前記固定部および前記張出部の外壁に対する取付面に、弾性体を設けたことを特徴している。
【００１９】
この弾性体には、例えばスポンジやゴムなどのクッション材が主として用いられる。したがって、建物の外壁に吹付や石などの凹凸があっても、弾性体が弾性変形し、隙間が生じるおそれがない。
【００２０】
請求項６記載の発明は、前記各縦板の張出部は、中央部に貫通孔が形成されているとともに、この貫通孔に所定の固定具を挿通して外壁に固定され、前記各縦板の張出部の外壁と反対方向の面に接着剤を塗布したことを特徴としている。
【００２１】
請求項７記載の発明は、前記スラットは、両側端部に相反する方向へ折曲された係止縁を有し、少なくとも一方の係止縁にシール部材を設け、このシール部材が隣接する前記スラットの他方の係止縁に密着することを特徴としている。
【００２２】
したがって、建物の開口部を閉じるとシール部材（例えばゴム材など）が隣接する他のスラットの他端部に密着し、シール性が向上する。
【００２３】
請求項８記載の発明は、前記各レージトングは、二枚のプレート状のリンクを中央部で軸着してＸ字状に回動自在に組み合せてなり、少なくとも一方の前記リンクを、横断面円弧状に折曲形成したことを特徴としている。
【００２４】
したがって、一方のリンクは、幅方向の強度が強く、スラットの重量が大きい場合あっても、折り曲げられるおそれがない。
【００２５】
請求項９記載の発明は、少なくとも前記リンクのいずれかに、前記スラットを前記上枠の枠本体のガイドレールに転動自在に吊支するガイドローラーを設け、このガイドローラーは、前記ガイドレールに両端部が支持された回転軸と、この回転軸の両端部に回転自在に設けられたローラー部とを有し、このローラー部の内周面に、前記回転軸の外周面に摺接するベアリングを設けたことを特徴としている。
【００２６】
したがって、ローラー部の内周面と回転軸の外周面との間の摩擦係数が減少し、ブラインド式雨戸が左右方向にスムーズに移動する。
【発明の効果】
【００２７】
以上の説明で明らかなように、本発明によれば、上枠が二段階の作業により外壁に取り付けられるため、固定部の取付を枠本体により邪魔されることがなく、容易に取り付けることができ、これにより取付作業の作業効率が向上する。
【００２８】
特に、請求項２記載の発明によれば、両係合部を両保持部に係合するだけで、固定部に枠本体を簡易に取付可能なため、取付作業性が一層向上する。
【００２９】
また、請求項３記載の発明によれば、庇体が上枠の取付作業を邪魔することがなく、固定部および枠本体を容易に取り付けられ、作業効率が向上する。また、庇体が大きく張り出していても、一人で容易に建物の開口部の上側まで持ち上げることができ、この点でも作業性が向上する。
【００３０】
さらに、請求項４記載の発明によれば、両框部を固定した場合に外部からの抉じ開けが防止され、防犯性が向上する。
【００３１】
請求項５記載の発明によれば、建物の外壁に吹付や石などの凹凸があっても、弾性体が弾性変形し、隙間が生じるおそれがなく、シール性が向上する。
【００３２】
請求項７記載の発明によれば、シール部材が隣接する他のスラットの他端部に密着するため、シール性が向上し、結露対策や雨水対策などに有効である。
【００３３】
請求項８記載の発明によれば、スラットの重量が大きい場合あっても、リンクが折り曲げられるおそれがなく、耐重量性に優れる。
【００３４】
請求項９記載の発明によれば、ブラインド式雨戸がスムーズに移動可能なため、大きなスラットを使用する場合に、開け閉めが容易になる。
【発明を実施するための最良の形態】
【００３５】
図１〜図１２は、本発明の最良の実施形態に係るブラインド式雨戸の取付構造を示している。図１及び図２に示すように、建物１に形成された四辺形状の窓用の開口部２にはサッシ３が嵌め込まれているとともに、窓戸４がスライド開閉自在に取り付けられている。また、建物１の開口部２周囲の外壁６に固定したステンレス製の雨戸用案内枠２０には、前記窓戸４を閉じるための左右一対のブラインド式雨戸１９が嵌め込まれている。
【００３６】
前記雨戸用案内枠２０は、図３に示すように、前記開口部２に対応して四辺形状に形成され、上辺部を構成する上枠２１と、下辺部を構成する下枠２２と、側辺部を構成する左右一対の縦枠２３とを主体に構成されている。
【００３７】
このうち前記下枠２２および前記両縦枠２３は、前記ブラインド式雨戸１９が嵌め込まれる枠本体２４と、この枠本体２４の外周縁に一体形成された張出部２５とを有し、この張出部２５は、図５〜図６に示すように、建物１の外壁６に取り付けられる取付面に弾性体２６（例えば、薄肉板状のスポンジ材やゴム材などのクッション材）が固着されているとともに、弾性体２６を外壁６に当てた状態で固定具２７（例えばねじ・釘など）により、貫通孔１７を介して、外壁６に固定されている。
【００３８】
また、前記両縦枠２３の張出部２５は、図６に示すように、外周縁に円弧状のアール部２８が形成されているとともに、前記枠本体２４側の表面に接着剤２９が塗布されている。この接着剤２９には、例えば、エキポシやウレタンを主成分とするものが用いられる。
【００３９】
一方、前記上枠２１は、図４に示すように、前記下枠２２および前記両縦枠２３と異なり、前記ブラインド式雨戸１を吊支する枠本体３０と、この枠本体３０を外壁６に固定する固定部３１とが別体からなり、前記枠本体３０は前記開口部２の上側の外壁６に取り付けられた前記固定部３１に組付結合している。
【００４０】
この固定部３１は、横長のプレート状に形成され、前記張出部２５と同様に弾性体２６を外壁の取付面に有するとともに、固定具２７により外壁６に固定され、前記枠本体３０を保持固定する一対の保持部３２が長手方向に沿って上下に一体形成されている。この各保持部３２は、縦断面Ｌ字状に形成され、前記枠本体３０側の表面に立設された基部３３と、この基部３３から９０度の角度に折曲された係止片３４とを有し、この両係止片３４が対向している。
【００４１】
また、前記上枠２１の枠本体３０は、横長のボックス状に形成されており、内部が二枚の仕切板に仕切られているとともに、下板に開口部３５が形成され、固定部３１側の端部には上下一対の縦断面正方形状の係合部３６が外側に向かって張出形成されている。
【００４２】
この両係合部３６の上下面間の距離Ｌ１は、前記保持部３２の基部３３の内周面間の距離よりも、やや短く設定されている一方、前記係止片３４の先端部間の距離Ｌ２よりも、やや小さく設定されている。したがって、前記両係合部３６は、前記保持部３２の基部３３間に嵌入すると同時に、前記係止片３４の先端部に係合し、これにより前記上枠２１が前記固定部３１に強固に組付結合して固定される。
【００４３】
さらに、前記上枠２１の枠本体３０には、前記固定部３１と反対側の端部に、図１及び図４に示すように、庇体３７が一体形成されている。この庇体３７の建物１からの張出寸法は、図１に示すように、前記ブラインド式雨戸１９のスラット３８の幅Ｗよりも大きく設定されているとともに、建物１の外壁６からスラット３８の最外側の先端までの張り出し寸法Ｗαよりも大きく設定されている。したがって、ブラインド式雨戸１９が開かれて、前記スラット３８が外方へ突出する状態となっても、ブラインド式雨戸１９に雨・雪・塵埃が直接降りかかることが阻止される。
【００４４】
そして、前記庇体３７と前記下枠２２の枠本体２４には、図４及び図５に示すように、ブラインド式雨戸１９を取り付けるガイドレール３９が対向する位置に形成されている。このうち前記庇体３７のガイドレール３９には、下面に向けて開口するガイド穴４０が形成されている一方、前記下枠２２のガイドレール３９には、上向きに開口するガイド穴４０が形成されている。
【００４５】
前記ブラインド式雨戸１９は、図２に示すように、前記両ガイドレール３９間に左右一対に配置されているとともに、図７〜図１０に示すように、短冊状に形成された複数の前記スラット３８と、この各スラット３８の上端部及び下端部を連結する伸縮自在のレージトング４１と、上側の前記レージトング４１を前記庇体３７のガイドレール３９内に前記ガイド穴４０を介して転動自在に吊支するガイドローラー４２と、下側の前記レージトング４１を前記下枠２２のガイドレール３９内にガイド穴４０を介して移動可能に係合させるガイドピン４３とを主体に構成されている。
【００４６】
前記スラット３８は、図７及び図８に示すように、細長い板体により構成され、上下端部に前記レージトング４１が取り付けられている。また、前記スラット３８は、図１１に示すように、両側端部に相反する方向へ折曲された係止縁４４を有しているとともに、係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。
【００４７】
また、前記レージトング４１は、図８及び図１１に示すように、形状の異なる二種類のリンク４７ａ．４７ｂを中央部で軸着してＸ字状に回動自在に組み合わせた複数組をヒンジ結合してエキスパンダー式に伸縮自在に構成されている。
【００４８】
そして、一方の前記リンク４７ａは、図１１に示すように、一方が横断面円弧状に折曲形成されたプレート（折曲角度が緩やかに設定されている。）により構成され、他方の前記リンク４７ｂは、断面Ｌ字状に折曲形成されたプレートにより構成されており、他方の前記リンク４７ｂに前記スラット３８の上下端部が挟持固定されている。
【００４９】
前記ガイドローラー４２は、図１１及び図１２に示すように、前記リンク４７ａ．４７ｂの一端部を連通する穴部に挿通されたロッド４８と、このロッド４８の上端部に回転自在に固定された板状の基部４９と、この基部４９の左右方向に回転自在に挿通されて前記ガイドレール３９に両端部が支持された回転軸５０と、この回転軸５０に回転自在に挿通されて両端部に回転自在に軸支された一対のローラー部５１と、この各ローラー部５１の内周面のベアリング５２とを有し、前記ロッド４８の下端外周面には雄ねじが形成されている。このロッド４８の下端部は、一対のワッシャー５３を介して、ナット５４に螺合され、これにより他方の前記リンク４７の一端部に固定されている。
【００５０】
また、ブラインド式雨戸１９の端部には、図８に示すように、鍵・錠などのロック機構（図外）を有する框部５５が取り付けられている。この両框部５５は、左右のブラインド式雨戸１９が閉じられたときには、互いに接触して、前記ロック機構により固定される。このとき両框部５５は、図９に示すように、対向面に段差５５ａがオフセットに形成され、この両者５５の段差５５ａは互いに編み合うようになっている。
【００５１】
このようなブラインド式雨戸１９を、建物１の窓用の開口部２に取り付けるに際しては、まず、サッシ３および窓戸４を嵌め込んだ後に、上枠２１の固定部３１を開口部２の上側の外壁６に当てて固定具２７（例えばねじ・釘など）により貫通孔１７を介して外壁６に固定するとともに、固定部３１に上枠２１の枠本体３０を組み付ける。
【００５２】
具体的には、上枠２１の枠本体３０の両係合部３６を、固定部３１の保持部３２の基部３３間に嵌入するとともに、固定部３１の両係止片３４の先端部に係合させ、これにより上枠２１の枠本体３０が固定部３１に簡易に組付結合され、この点で上枠２１の取付作業の作業効率が向上する。
【００５３】
この結果、上枠２１の枠本体３０は、固定部３１の取付作業後に組み付けられ、これにより上枠２１が二段階の作業により外壁６に取り付けられる。したがって、庇体３７の張出寸法がスラット３８の幅寸法より大きくても、上枠２１の取付作業が庇体３７に邪魔されることがなく、上枠２１の固定部３１および枠本体３０を容易に取り付けることができ、これにより取付作業の作業性が向上する。
【００５４】
また、上枠２１の固定部３１および枠本体３０は、一人で容易に建物１の開口部２の上方まで持ち上げることができるため、この点でも取付の作業効率が向上する。この固定部３１に組付結合された枠本体３０の両係合部３６は、固定部３１の両係止片３４の先端部に係合しているため、取り外しが困難であり、防犯性も問題がない。
【００５５】
その後、両縦枠２３および下枠２２の張出部２５を外壁６に当てて、固定具２７（例えばねじ・釘など）により貫通孔１７を介して固定されて、雨戸用案内枠２０が開口部２の周囲の外壁６に取り付けられる。この張出部２５および上枠２１の固定部３１の取付面には、弾性体２６が固着されているため、建物１の外壁６に吹付や石などの凹凸があっても、弾性体２６が弾性変形し、隙間が生じることがなく、これにより雨水や塵埃などの浸入が防止され、シール性が向上する。
【００５６】
このように雨戸用案内枠２０を開口部２の周囲の外壁６に取り付けた後に、左右一対のブラインド式雨戸２０が嵌め込まれる。すなわち、各ブラインド式雨戸２０の外側部を縦枠２３の枠本体２４に固定するとともに、ガイドピン４３を下枠２２のガイドレール３９内にガイド穴４０を介して移動可能に係合し、その後、ガイドローラー４２のローラー部５１を、上枠２１のガイドレール３９内にガイド穴４０を介して転動可能に装着して、ブラインド式雨戸２０を吊支する。
【００５７】
このローラー部５１は、回転軸５０の外周面に摺接する内周面に、ベアリング５２を有しているため、回転軸５０の外周面に対する摩擦係数が小さく、左右方向にスムーズに移動でき、これにより重量の大きいスラット３８（例えば、図１中の高さＨが大きく設定されているスラット３８）を使用する場合であっても、ブラインド式雨戸２０の開け閉めが容易である。
【００５８】
そして、両ブラインド式雨戸２０は、レージトング４１が収縮するとＸ字状のリンク４７が内外方向で互いに近接し、各スラット３８が互いに重なるように並行して建物１の開口部２を開く一方、レージトング４１を伸長させるとＸ字状のリンクが４７一連方向で互いに近接し、各スラット３８の係止縁４４が互いに連係してほぼ一直線状になり、建物の開口部を閉じる。
【００５９】
このときリンク４７ａは、横断面円弧状に折曲形成されているため、幅方向の強度が強く、ブラインド式雨戸２０の重量が大きい場合（図１中のスラットの高さＨ及び横幅Ｗが大きく設定されている場合など）であっても、折り曲げられるおそれがなく、この点で耐重量性に優れる。
【００６０】
また、建物１の開口部２を閉じたときには、両ブラインド式雨戸１９の框部５５の段差５５ａが噛み合うため、所定のロック機構により両框部５５を固定した場合に、外部から細い棒などを用いて、両框部５５を抉じ開けられることが防止され、この点で防犯効果が向上する。
【００６１】
さらに、建物１の開口部２を閉じるときには、スラット３８のシール部材４６が隣接する他のスラット３８の係止縁４４に密着するため、各スラット３８のシール性が向上し、結露対策や雨水対策などに効果的である。
【００６２】
なお、本発明は、上記実施形態に限定されるものではなく、例えば上枠２１の枠本体３０に庇体３７が一体形成されていないタイプの雨戸用案内枠２０にも適用することができる。
【００６３】
この場合も、上枠２１の枠本体３０は、固定部３１の取付後に固定部３１に組み付けられるため、上枠２１が二段階の作業により外壁に取り付けられ、固定部３１の取り付けを枠本体３０により邪魔されることがなく、容易に取り付けることができる。
【００６４】
また、建物１の外壁６に接着剤などを用いて、固定部３１および張出部２５を固着するタイプの雨戸用案内枠２０にも適用することができる。
【００６５】
この場合は、ねじ・くぎなどを外されて、雨戸用案内枠２０が取外されることがなく、防犯効果が向上する。さらに、雨戸用案内枠２０とサッシ３とを一体形成したものにも適用することができる。
【００６６】
さらに、両框部５５の段差５５ａを廃止して、一方の框部５５の側端面に嵌合凹部を形成し、他方の框部５５の側端面に嵌合凸部を形成することもできる。この場合も、両ブラインド式雨戸１９を伸長して開口部２を閉じると、嵌合凹部と嵌合凸部とが嵌合し、両框部５５の抉じ開けが防止される。
【図面の簡単な説明】
【００６７】
【図１】本発明の実施形態に係るブラインド式雨戸の縦断面図
【図２】図１のＡ−Ａ線断面図
【図３】本発明の実施形態に係る雨戸用案内枠の正面図
【図４】同  上枠の縦断面図
【図５】同  縦枠の縦断面図
【図６】同  下枠の縦断面図
【図７】本発明の実施形態に係るブラインド式雨戸を閉じた状態の外側正面図
【図８】図７のＢ−Ｂ線断面図
【図９】図８のＣ−Ｃ線部拡大図
【図１０】本発明の実施形態に係るブラインド式雨戸を閉じた状態の内側正面図
【図１１】同  スラットとリンクを示す斜視図
【図１２】ガイドローラーを示す斜視図
【図１３】従来例の縦断面図
【符号の説明】
【００６８】
１…建物
２…開口部
１９…ブラインド式雨戸
２０…雨戸用案内枠
２１…上枠
２２…下枠
２３…縦枠
２５…張出部
２６…弾性体
２７…固定具
２９…接着剤
３０…枠本体
３１…固定部
３２…保持部
３６…係合部
３７…庇体
３８…スラット
４１…レージトング
４２…ガイドローラー
４４…係止縁
４６…シール部材
４７ａ…一方のリンク
４７ｂ…他方のリンク
５０…回転軸
５１…ローラー部
５２…ベアリング
５５…框部
５５ａ…段差
【図１】
2005105515.tif 000003
【図２】
2005105515.tif 000004
【図３】
2005105515.tif 000005
【図４】
2005105515.tif 000006
【図５】
2005105515.tif 000007
【図６】
2005105515.tif 000008
【図７】
2005105515.tif 000009
【図８】
2005105515.tif 000010
【図９】
2005105515.tif 000011
【図１０】
2005105515.tif 000012
【図１１】
2005105515.tif 000013
【図１２】
2005105515.tif 000014
【図１３】
2005105515.tif 000015